(57)【要約】  本発明は、複数の一次パッケージを集めるための二次パッケージであって、複数の一次パッケージを取り囲んでこれらの一次パッケージを一括して強固に保持する包装体を備え、前記包装体が、一次パッケージを支持するベースと、側面と、上面とを備える二次パッケージにおいて、（i）前記ベースは、一次パッケージを支持するベースの２つの半体を回動可能に接続する中間折り曲げラインを備えるとともに、中間折り曲げラインに沿って垂直に配置される持ち運びハンドルを更に備え、（ii）包装体の側面および上面は、中間折り曲げラインの領域に横断プレカットを備え、それにより、包装体が前記プレカットに沿って開放されると、包装体が、依然として、２つの各ベース半体上に配置された一次パッケージを強固に保持するとともに、中間折り曲げラインを中心に前記半体を回動させることができ、その結果、持ち運びハンドルへの完全なアクセスが可能になることを特徴とする二次パッケージに関する。【選択図】  図５
2008545595.tif 000002
【特許請求の範囲】
【請求項１】
複数の一次パッケージ（２）を集めるための二次パッケージ（１）であって、前記複数の一次パッケージを取り囲んでこれらの一次パッケージを一括して強固に保持する包装体（３）を備え、それにより、前記二次パッケージが略平坦な形態を有し、前記包装体が、前記一次パッケージを支持するベース面（４）と、側面（５）と、上面（６）とを備える二次パッケージにおいて、
（i）前記ベース（４）は、前記一次パッケージを支持する前記包装体の２つの部分（８ａ、８ｂ）を回動可能に接続する折り曲げライン（７）を備え、
（ii）前記包装体（３）の前記側面（５）および前記上面（６）は、横断する所定の脆弱ライン（１０）を前記折り曲げラインの領域に備え、それにより、前記包装体が前記脆弱ライン（１０）に沿って少なくとも部分的に開放されると、前記包装体が、依然として、２つの前記各部分（８ａ、８ｂ）上に配置された前記一次パッケージ（２）を強固に保持するとともに、前記折り曲げライン（７）を中心に前記部分を回動させることができ、その結果、二次パッケージをその平坦な折り畳まれていない形態からコンパクト形態へとコンパクト化することができる、ことを特徴とする二次パッケージ（１）。
【請求項２】
前記所定の脆弱ラインがプレカットラインである、請求項１に記載の二次パッケージ。
【請求項３】
前記折り曲げラインが前記ベースの中間部に位置されている、請求項２に記載の二次パッケージ。
【請求項４】
前記ベースは、前記包装体の前記部分（８ａ、８ｂ）間に垂直に配置される持ち運びハンドル（９）を更に備える、請求項２または３に記載の二次パッケージ。
【請求項５】
前記持ち運びハンドルが前記包装体内に配置され、それにより、前記二次パッケージがそのコンパクト形態に折り畳まれた後にだけ前記持ち運びハンドルにアクセスできる、請求項４に記載の二次パッケージ。
【請求項６】
前記ハンドル（６）は、前記包装体ベース（３）の前記中間折り曲げライン（５）に沿って固定されるストリップである、請求項４または５に記載の二次パッケージ（１）。
【請求項７】
前記ハンドルが前記包装体の外面に対して接着され、前記プレカットが互いに略平行な２つのプレカットラインを備える、請求項４に記載の二次パッケージ。
【請求項８】
前記包装体の前記ベースが独立の二次ベースによって補強されている、請求項１〜５のいずれか一項に記載の二次パッケージ（１）。
【請求項９】
前記二次ベースがプラスチック段ボールから作製されている、請求項２または３いずれか一項に記載の二次パッケージ（１）。
【請求項１０】
前記二次ベースが硬質である、請求項２または３に記載の二次パッケージ（１）。
【請求項１１】
前記包装体ベースの前記部分（８ａ、８ｂ）が前記折り曲げライン（５）に沿って左右対称である、請求項１〜１０のいずれか一項に記載の二次パッケージ（１）。
【請求項１２】
前記包装体（４）が熱収縮性フィルムから作製されている、請求項１〜１１のいずれか一項に記載の二次パッケージ（１）。
【請求項１３】
前記包装体（４）がネットである、請求項１〜１１のいずれか一項に記載の二次パッケージ（１）。
【請求項１４】
前記一次パッケージ（２）が水を収容するプラスチックボトルである、請求項１〜１３のいずれか一項に記載の二次パッケージ（１）。
【請求項１５】
複数の一次パッケージ（２）を集めるための二次パッケージ（１）であって、前記複数の一次パッケージの少なくとも一部を支持するための水平で平坦なベース（３）と、前記ベース（３）および前記複数の一次パッケージ（２）を取り囲んでこれらの一次パッケージを一括して強固に保持する包装体（４）とを備える二次パッケージ（１）において、
（i）前記ベース（３）は、前記一次パッケージ（２）を支持する前記ベースの２つの半体（３ａ、３ｂ）を回動可能に接続する中間折り曲げライン（５）を備えるとともに、前記中間折り曲げライン（５）に沿って前記ベース半体（３ａ、３ｂ）間に垂直に配置される持ち運びハンドル（６）を更に備え、
（ii）前記包装体（４）は、前記中間折り曲げラインの領域に、前記二次パッケージ（１）の側面（８）および上面（９）に少なくとも沿って横断プレカット（７）を備え、それにより、包装体（４）が前記プレカット（７）に沿って開放されると、前記包装体が、依然として、前記２つの各ベース半体（３ａ、３ｂ）上に配置された前記一次パッケージ（２）を強固に保持するとともに、前記中間折り曲げライン（５）を中心に前記半体を回動させることができ、その結果、前記持ち運びハンドル（６）へのアクセスが可能になる、ことを特徴とする二次パッケージ（１）。
【請求項１６】
前記ベース（３）は、それぞれが前記ベースの一方の半体（３ａ、３ｂ）に配置される２つの二次折り曲げライン（１０）を備える単一のダイカットから作製され、前記二次折り曲げライン（１０）は、平行であるとともに、前記ベース（３）の前記中間折り曲げライン（５）から等距離にあり、前記中間折り曲げライン（５）と前記二次折り曲げライン（１０）との間には２つの穴（１１）が左右対称に配置され、前記ハンドル（６）は、前記中間折り曲げラインおよび前記二次折り曲げラインに沿って前記ダイカットを折り曲げることによって形成される、請求項１５に記載の二次パッケージ（１）。
【請求項１７】
前記ハンドルを形成する前記ベースの前記２つの部分が互いに接着される、請求項１６に記載の二次パッケージ。
【請求項１８】
前記平坦なベース（３）の形状が前記包装体（４）の輪郭に一致し、前記中間折り曲げライン（５）の領域における前記ベース（３）の幅Ｗは、前記ベースの前記各半体（３ａ、３ｂ）の最大幅Ｗｍａｘよりも小さい、請求項１５〜１７のいずれか一項に記載の二次パッケージ（１）。
【請求項１９】
前記ハンドル（６）は、前記ベース（３）の前記中間折り曲げライン（５）に沿って固定されるストリップである、請求項１５に記載の二次パッケージ（１）。
【請求項２０】
前記ベースの両方の半体（３ａ、３ｂ）が前記中間折り曲げライン（５）に沿って左右対称である、請求項１５〜１９のいずれか一項に記載の二次パッケージ（１）。
【請求項２１】
前記包装体（４）が熱収縮性フィルムから作製されている、請求項１５〜２０のいずれか一項に記載の二次パッケージ（１）。
【請求項２２】
前記ベース（３）がプラスチック段ボールから作製されている、請求項１５〜２１のいずれか一項に記載の二次パッケージ（１）。
【請求項２３】
前記水平で平坦なベースが硬質である、請求項１５〜２２のいずれか一項に記載の二次パッケージ（１）。
【請求項２４】
前記一次パッケージ（２）が水を収容するプラスチックボトルである、請求項１５〜２３のいずれか一項に記載の二次パッケージ（１）。
【発明の詳細な説明】
【技術分野】
【０００１】
本発明は、一体型ハンドルを備え、ボトルなどの複数の一次容器を集めるためのパッケージ、好ましくはフィルムパッケージに関する。
【背景技術】
【０００２】
パッケージを寄せ集める分野において、従来技術は、例えばウォータボトルや金属缶などの複数の一次容器をグループ化するためのパッケージを示している。これらの既知のパッケージは、一般に、ボトルの組の周囲に巻き付けられ且つボトルの周囲で収縮してボトルを一括して強固に保持するべく熱処理される収縮性フィルムから作製される。一次パッケージ、例えばボトルは、一旦寄せ集められると、１つのパックを形成する。
【０００３】
以下の説明では、明確にするため、収集パッケージが収縮性フィルムから形成されるとともに、一次パッケージがプラスチックボトルであると見なされる。しかしながら、この限定は、本発明の範囲を限定すると見なされるべきではない。パッケージを集めるために収縮性プラスチックフィルム以外の他のタイプの材料が使用されてもよく、また、プラスチックボトル以外の他のタイプの一次パッケージが集められてもよい。
【０００４】
このようなパッケージを集めるフィルムの利益は、長きにわたって知られてきており、消費者による一組の一次容器の取り扱いおよび搬送を容易にする。
【０００５】
パッケージを集める一部の既知のフィルムは、例えば粘着テープの手段によってフィルムの外面上に接着されるハンドルを備える。
【０００６】
パッケージを集めるこれらの既知のフィルムは、それらが一次容器（例えばミネラルウォータのボトル）の良好な収集を行ない且つハンドルが取り扱いを容易にするため、消費者の信頼が高い。
【発明の開示】
【発明が解決しようとする課題】
【０００７】
しかしながら、消費者がショッピングをしているときにボトルのパックをショッピング台車内へ運び入れたい場合には、パックを台車内に配置する必要がある。しかしながら、このようなパックは一般に非常に大きいため、他の製品で満たすための台車内の空間の多くが失われる。
【０００８】
したがって、複数の一次パッケージを集めるためのパッケージであって、取り扱いが容易で且つショッピング台車内で最大限の空間を利用可能なまま保つように前記台車内に配置できるパッケージの必要性が存在する。
【課題を解決するための手段】
【０００９】
本発明は、複数の一次パッケージを集めるための二次パッケージであって、複数の一次パッケージを取り囲んでこれらの一次パッケージを一括して強固に保持する包装体を備え、それにより、前記二次パッケージが略平坦な形態を有し、前記包装体が、一次パッケージを支持するベース面と、側面と、上面とを備える二次パッケージを用いて、前述した問題を扱う。
【００１０】
本発明によれば、二次パッケージは、そのベースが、一次パッケージを支持する包装体の２つの部分を回動可能に接続する折り曲げラインを備え、包装体の側面および上面は、横断する所定の脆弱ラインを折り曲げラインの領域に備え、それにより、包装体が脆弱ラインに沿って少なくとも部分的に開放されると、包装体が、依然として、２つの前記各部分上に配置された一次パッケージを強固に保持するとともに、折り曲げラインを中心に前記部分を回動させることができ、その結果、二次パッケージをその平坦な折り畳まれていない形態からコンパクト形態へとコンパクト化することができる、ことを特徴とする。
【００１１】
所定の脆弱ラインはプレカットラインであることが好ましく、また、折り曲げラインはベースの中間部に位置されていることが好ましい。
【００１２】
本発明の非常に好ましい実施形態において、二次パッケージのベースは、包装体の前記部分間に垂直に配置される持ち運びハンドルを備える。
【００１３】
この場合、前記持ち運びハンドルは前記包装体内に配置されることが更に好ましく、それにより、前記二次パッケージがそのコンパクト形態に折り畳まれた後にだけ前記持ち運びハンドルにアクセスできる。
【００１４】
前記ハンドルは、包装体ベースの中間折り曲げラインに沿って固定されるストリップであってもよい。
【００１５】
本発明の一実施形態では、前記ハンドルを包装体の外面に対して接着することができ、プレカットが互いに略平行な２つのプレカットラインを備える。
【００１６】
全ての場合において、包装体のベースは独立の二次ベースによって補強されることが好ましい。
【００１７】
この場合、前記二次ベースは、プラスチック段ボールから作製することができ、また、硬質であることが好ましい。
【００１８】
本発明の別の実施形態では、包装体ベースの前記部分が折り曲げラインに沿って左右対称である。
【００１９】
前記包装体は熱収縮性フィルムから作製されていることが好ましい。
【００２０】
代替の実施形態では、前記包装体がネットである。
【００２１】
本発明は、一次パッケージが水を収容するプラスチックボトルとなるように使用されるべく意図されていることが好ましい。
【００２２】
本発明の代替の実施形態において、二次パッケージは、複数の一次パッケージを集めるための二次パッケージであって、複数の一次パッケージの少なくとも一部を支持するための水平で平坦なベースと、ベースおよび複数の一次パッケージを取り囲んでこれらの一次パッケージを一括して強固に保持する包装体とを備える二次パッケージにおいて、
【００２３】
（i）前記ベースは、一次パッケージを支持するベースの２つの半体を回動可能に接続する中間折り曲げラインを備えるとともに、中間折り曲げラインに沿ってベース半体間に垂直に配置される持ち運びハンドルを更に備え、
【００２４】
（ii）前記包装体は、折り曲げラインの領域に、二次パッケージの側面および上面に少なくとも沿って横断プレカットを備え、それにより、包装体が前記プレカットに沿って開放されると、前記包装体が、依然として、２つの各ベース半体上に配置された一次パッケージを強固に保持するとともに、中間折り曲げラインを中心に前記半体を回動させることができ、その結果、持ち運びハンドルへのアクセスが可能になる、ことを特徴とする二次パッケージである。
【００２５】
以上から分かるように、本発明に係る二次パッケージは、本発明の１つの特定の実施例の以下の詳細な説明で詳しく説明されるように、幾つかのタイプの用途を可能にするため特に有益である。
【００２６】
本発明の非常に好ましい実施形態において、ベースは、それぞれがベースの一方の半体に配置される２つの二次折り曲げラインを備える単一のダイカットから作製され、前記二次折り曲げラインは、平行であるとともに、ベースの中間折り曲げラインから等距離にあり、中間折り曲げラインと二次折り曲げラインとの間には２つの穴が左右対称に配置され、前記ハンドルは、中間折り曲げラインおよび二次折り曲げラインに沿ってダイカットを折り曲げることによって形成される。
【００２７】
この好ましい実施形態によれば、一次パッケージを支持するベース半体間に配置される垂直ハンドルは、１ピースで形成されており、ベースの残りの部分と一体である。この製造方法は、特に費用効率が高く、工場で組み立てるのが容易である。
【００２８】
また、本発明の非常に好ましい実施形態では、平坦なベースの形状が包装体の輪郭に一致しており、中間折り曲げラインの領域におけるベースの幅は、前記ベースの各半体の最大幅よりも小さい。
【００２９】
この場合、包装体を開放して２つの半体の状態にするためにプレカットが使用され且つ二次パッケージが開放形態にあるときに、平坦なベースが二次パッケージの残りの部分から滑り出すことが防止される。
【００３０】
あるいは、前記ハンドルは、ベースの中間折り曲げラインに沿って固定されるストリップから作製することができる。
【００３１】
本発明の１つの実施形態では、ベースの両方の半体が中間折り曲げラインに沿って左右対称である。
【００３２】
また、二次パッケージの包装体は熱収縮性フィルムから作製されていることが好ましく、および／または、前記ベースはプラスチック段ボールから形成されることが好ましい。しかしながら、補強された段ボールシートなどの別の材料を使用することができ、それにより、特に牽引力に耐えることができるとともに、湿気を通さない。
【００３３】
好ましい実施形態では、平坦なベースが硬質である。
【００３４】
本発明の更なる特徴および利点は、図面に関連して以下に記載される現在好ましい実施形態の説明で述べられており、当該説明から明らかである。
【発明を実施するための最良の形態】
【００３５】
図１に示されるように、本発明に係る二次パッケージ１は、複数の一次パッケージ２を集めるためのものである。以下で詳しく説明する特定の実施形態において、一次パッケージは、水を収容するプラスチックボトル２である。
【００３６】
本発明に係る二次パッケージ１は、複数の一次パッケージ２を一括して強固に保持するように取り囲む包装体３を備える。
【００３７】
図１および図２に示されるように、前記包装体２は、一次パッケージ２を支持するベース４と、側面５および上面６とを備える。
【００３８】
本発明によれば、包装体３のベース４は、一次パッケージを支持するベース４の２つの半体８ａ、８ｂを回動可能に接続する中間折り曲げライン７を備える。ベース４は、中間折り曲げラインに沿って垂直に配置される持ち運びハンドル９を更に備える。
【００３９】
また、本発明によれば、図１または図５に示されるように、包装体３の側面５および上面６は、中間折り曲げライン７の領域に、横断プレカット１０を備える。
【００４０】
したがって、図３、４、６、７に示されるように、包装体３が前記プレカット１０に沿って開放されると、前記包装体３は、依然として、２つの各ベース半体８ａ、８ｂ上に配置された一次パッケージ２を強固に保持し、また、中間折り曲げライン７を中心に前記半体を回動させることができ、それにより、持ち運びハンドル９への完全なアクセスが可能になる。
【００４１】
持ち運びハンドルへの「完全な」アクセスとは、前記ハンドルが包装体の外側に配置されているが、二次パッケージがその閉じられた形態にあるとき、すなわち、プレカットラインが破断されていないときには、ハンドルが包装体に対して密接に適合されており、前記ハンドルと前記包装体との間に隙間が存在しないため、消費者がハンドルに実際にアクセスできないことを意味している。したがって、消費者は、ハンドルを掴むために前記包装体と前記ハンドルとの間に手を挿入することができない。逆に、図７に示されるように、プレカットが破断されて二次パッケージがその開放形態にあるときには、前記ハンドルが包装体から現われ、したがって、消費者がハンドルに完全にアクセスできる。
【００４２】
図１、２、３、４に示される本発明の１つの第１の実施形態において、包装体３のベース４は、独立の二次ベース１１によって補強されている。
【００４３】
本発明のこの特定の実施形態において、前記二次ベース１１は、硬質プラスチック段ボールから作製されている。また、本発明のこの第１の実施形態において、プレカット１０は、互いに略平行な２つのプレカットライン１０ａ、１０ｂを備える。
【００４４】
図５、６、７に示される本発明の第２の実施形態において、包装体３のベース４は、補強されておらず、包装体全体を形成する材料だけを備える。持ち運びハンドル９は、前記包装体３を取り囲み且つ前記包装体のベース領域で前記ハンドルと前記包装体との間の接合部に配置される接着剤によって包装体に取り付けられる厚いフィルムから成るストリップである。
【００４５】
前述した本発明の両方の実施形態では、包装体ベース４の両方の半体８ａ、８ｂが中間折り曲げライン７に沿って左右対称である
【００４６】
また、包装体３は熱収縮性フィルムから作製されている。
【００４７】
図８から分かるように、ベース４上におけるウォータボトル２の配置と、前記ベース４の輪郭がウォータボトルの配置に適合されているという事実とにより、隣合う二次パッケージが組み合わせられるように本発明の幾つかの二次パッケージを配置するのが便利になる。これにより、コンパクトで強力な二次パッケージの層をパレット内に形成することができる。
【００４８】
図９に示されるように、本発明の別の実施形態に係る二次パッケージ２１も、複数の一次パッケージ２２を集めるためのものである。以下で詳しく説明する特定の実施形態において、一次パッケージは、水を収容するプラスチックボトル２２である。
【００４９】
二次パッケージ２１は、前記ウォータボトル２２を支持するためのプラスチック段ボールから作製された水平で硬質の平坦なベース２３を備える。また、二次パッケージ２１は、ベース２３を取り囲む包装体２４を更に備える。包装体２４は、熱収縮性の熱可塑性包装体であり、ボトル２２を一括して強固に保持する。
【００５０】
本発明によれば、二次パッケージ２１は以下の点を特徴としている。
【００５１】
（i）ベース２３は、一次パッケージ２２を支持するベースの２つの半体２３ａ、２３ｂを回動可能に接続する中間折り曲げライン２５を備えており−ベースの両方の半体は折り曲げライン２５を横切って左右対称に配置されている−、また、前記ベース２３は、中間折り曲げライン２５に沿ってベース半体３ａ、３ｂ間に垂直に配置される持ち運びハンドル２６を更に備える。
【００５２】
（ii）包装体２４は、中間折り曲げライン２５の領域に、二次パッケージ２１の側面２８および上面２９に沿って横断プレカット２７を備えており、それにより、包装体２４が前記プレカット２７に沿って開放されると、前記包装体は、依然として、２つの各ベース半体２３ａ、２３ｂ上に配置された一次パッケージ２２を強固に保持し、また、図１３および図１４に示されるように、中間折り曲げライン２５を中心に前記半体２３ａ、２３ｂを回動させることができ、持ち運びハンドル２６へのアクセスが可能になる。
【００５３】
以上から分かるように、本発明に係る二次パッケージ２１は、それが少なくとも３つの異なるタイプの形態および用途を可能にするため、特に有益である。
【００５４】
第１に、図９〜図１２に示されるように、包装体２４がプレカットライン２７に沿って開放されない場合には、ベース２３の２つの半体２３ａ、２３ｂが同じ面内にあり、持ち運びハンドル２６が前記包装体２４から突出しない。この形態では、二次パッケージ２１の外形は略平行六面体であり、保管および輸送のためのパレット内にこのようなパッケージ２１の幾つかの層を積み重ねることができる（図示せず）。
【００５５】
第２に、消費者が二次パッケージをストアで手に取るときには、図１３に示されるように包装体２４をプレカット２７に沿って開放できるとともに、ベースの２つの半体２３ａ、２３ｂを中間折り曲げライン２５を中心に回動させて−すなわち、ヒンジとして使用される−、ユーザにアクセスできるようになる持ち運びハンドル２６を露出させることができる。そのとき、ハンドル２６を使用して二次パッケージ２１全体を持ち運ぶことが非常に容易であり、また、包装体２４は、依然として、ベースの各半体２３ａ、２３ｂ上に配置されたウォータボトル２２を保持する。
【００５６】
その場合、図１２、１４、１６に示されるように、平坦なベース２３の形状は包装体２４の輪郭に一致しており、また、中間折り曲げライン２５の領域におけるベース２３の幅Ｗは、前記ベースの各半体２３ａ、２３ｂの最大幅Ｗｍａｘよりも小さい。したがって、図１４に示されるように包装体がプレカットに沿って開放されるときにベース２３を包装体２４の外側に滑り出させることができない。
【００５７】
また、その場合、図１６に示されるように、ベース２３は、それぞれがベースの一方の半体２３ａ、２３ｂに配置される２つの二次折り曲げライン２１０を備える単一のダイカットから作製されている。これらの折り曲げライン２１０は、平行であるとともに、ベース２３の中間折り曲げライン２５から等距離にある。また、中間折り曲げライン２５と二次折り曲げライン２１０との間には２つの穴２１１が左右対称に配置されており、前記ハンドルは、中間折り曲げライン２５および二次折り曲げライン２１０に沿ってベース２３のダイカットを折り曲げることによって形成される。一次パッケージ２２を支持するベース半体２３ａ、２３ｂ間に配置される垂直ハンドル２６は、１ピースで作製されており、図１６に示されるようにベース２３の残りの部分と一体である。
【００５８】
第３に、消費者がウォータボトル２２の購入したパッケージ２１を台車（図示せず）内に置きたいときには、台車の側壁を跨いで前記二次パッケージ２１を配置することが容易であり、それにより、二次パッケージの一方の半分が台車の内側に配置されるととともに、二次パッケージの他方の半分が台車の外側に垂れ下がるようにして、他の購入品のために台車内に空間を残しておくことができる。
【００５９】
図１〜図４に示されるように、二次パッケージ２１の包装体２４は熱収縮性フィルムから作製される。その結果、包装体２４は、内側に保持されたウォータボトル２２の全表面を覆わず、特に図９に示されるように、二次パッケージ２１の各先端に包装体２４の窓２１２が配置される。
【００６０】
図１７に示されるように、ベース２３上におけるウォータボトル２２の配置と、前記ベース２３の輪郭がウォータボトルの配置に適合されているという事実とにより、隣合う二次パッケージが組み合わせられるように本発明の幾つかの二次パッケージを配置するのが便利になる。これにより、コンパクトで強力な二次パッケージの層をパレット内に形成することができる。
【００６１】
本明細書中で説明した現在好ましい実施形態に対する様々な変更および改良が当業者にとって明らかであることは言うまでもない。このような変更および改良は、本発明の思想および範囲から逸脱することなく且つその付随する利点を損なうことなく行なうことができる。したがって、このような変更および改良は添付の請求項によって保護されるものである。
【図面の簡単な説明】
【００６２】
【図１】本発明の一実施形態に係る二次パッケージの斜視平面図である。
【図２】本発明の一実施形態に係る二次パッケージの下面図である。
【図３】部分的に折り畳まれていない状態における本発明の一実施形態に係る二次パッケージの斜視平面図である。
【図４】持ち運びハンドルに完全にアクセスできる完全に折り畳まれていない状態における本発明の一実施形態に係る二次パッケージの斜視平面図である。
【図５】本発明の別の実施形態を示す図１に類似する図である。
【図６】本発明の別の実施形態を示す図３に類似する図である。
【図７】本発明の別の実施形態を示す図４に類似する図である。
【図８】パレット層で互いに隣接して配置される本発明の複数の二次パッケージの概略平面図である。
【図９】本発明に係る二次パッケージの斜視平面図である。
【図１０】本発明に係る二次パッケージの側面図である。
【図１１】本発明に係る二次パッケージの平面図である。
【図１２】本発明に係る二次パッケージの下面図である。
【図１３】部分的に折り畳まれていない状態における本発明に係る二次パッケージの斜視平面図である。
【図１４】持ち運びハンドルにアクセスできる完全に折り畳まれていない状態における本発明に係る二次パッケージの斜視平面図である。
【図１５】図６に類似する側面図である。
【図１６】本発明に係る二次パッケージのベースの平面図である。
【図１７】パレット層で互いに隣接して配置される本発明の複数の二次パッケージの概略平面図である。
【図１】
2008545595.tif 000003
【図２】
2008545595.tif 000004
【図３】
2008545595.tif 000005
【図４】
2008545595.tif 000006
【図５】
2008545595.tif 000007
【図６】
2008545595.tif 000008
【図７】
2008545595.tif 000009
【図８】
2008545595.tif 000010
【図９】
2008545595.tif 000011
【図１０】
2008545595.tif 000012
【図１１】
2008545595.tif 000013
【図１２】
2008545595.tif 000014
【図１３】
2008545595.tif 000015
【図１４】
2008545595.tif 000016
【図１５】
2008545595.tif 000017
【図１６】
2008545595.tif 000018
【図１７】
2008545595.tif 000019
【国際調査報告】
2008545595.tif 000020
2008545595.tif 000021
2008545595.tif 000022